(57)【特許請求の範囲】
【請求項１】
消費者製品と共に使用するためのポケットサイズ容器であって、
前記容器の第１の側壁部分を形成する突出ブルワークを有し、カバーを受け入れるための前記突出ブルワークから上方にある上側リム部分と、ベースを受け入れるための前記突出ブルワークの下方にある下側リム部分と、を有する周縁バンドと、
前記周縁バンドの突出ブルワークの下方で且つ該突出ブルワークと同一平面上に第２の側壁部分を形成し、前記周縁バンドの下側リム部分を囲む上向き壁を有するパン形剛体ベースと、
前記容器の閉鎖時に前記周縁バンドの突出ブルワークの上方で且つ該突出ブルワークと同一平面上に前記容器の第３の側壁部分を形成し、前記周縁バンドの上側リム部分を囲む下向き壁を有するパン形剛体カバーと、
を備え、
前記周縁バンドが、該周縁バンドからの前記ベースの解除を防止するロック機構を含み、前記周縁バンドが透過性又は半透明であり、前記容器の前記内部容積が、前記周縁バンドを通して見ることができる、
ポケットサイズ容器。
【請求項２】
前記内部容積が、前記周縁バンドを通して見ることができる複数の消費者製品を収容する、
請求項１に記載の消費者製品と共に使用するためのポケットサイズ容器。
【請求項３】
前記周縁バンドが、プラスチックである、
請求項１に記載の消費者製品と共に使用するためのポケットサイズ容器。
【請求項４】
前記周縁バンドが、薄着色、又は有色性である、
請求項１に記載の消費者製品と共に使用するためのポケットサイズ容器。
【請求項５】
前記周縁バンドの下側リム部分の下縁が前記ベースの底部と近接又は接触しており、前記周縁バンドの上側リム部分の上縁が前記カバーの頂部と近接又は接触している、
請求項１に記載の消費者製品と共に使用するためのポケットサイズ容器。
【請求項６】
前記周縁バンドが、前記ベースの底部を整列させる一体型トレイに組み込まれる、
請求項１に記載の消費者製品と共に使用するためのポケットサイズ容器。
【請求項７】
前記容器が、前記カバー、前記ベース、及び前記周縁バンドから成る３部品容器であり、前記ベースがカール上縁がスタンプ加工された金属シートであり、前記カバーが、カール下縁がスタンプ加工された金属シートであり、前記周縁バンドが、有色シースループラスチックである、
請求項１に記載の消費者製品と共に使用するためのポケットサイズ容器。
【請求項８】
前記ロック機構が、前記周縁バンドの下側リム部分の外表面上に複数の突起部を含み、
該突起部が、前記ベースの上向き壁の上側内向きカール縁部をロックして、該カール縁部が前記突出ブルワーク及び前記突起部との間でクランプされるようにする、
請求項１に記載の消費者製品と共に使用するためのポケットサイズ容器。
【請求項９】
前記カバーが前記周縁バンドにヒンジ固定される、
請求項１に記載の消費者製品と共に使用するためのポケットサイズ容器。
【請求項１０】
前記ベースがシート金属からなり、前記ベースの上縁が、前記シート金属の内向きカール部分を含み、前記ロック機構が前記カール部分を係合する平坦面を含む、
請求項１に記載の消費者製品と共に使用するためのポケットサイズ容器。
【請求項１１】
前記カバーがシート金属からなり、前記カバーの下縁が前記シート金属の内向きカール部分を含み、前記カバーが、前記カール部分を係合する湾曲面によって前記周縁バンドに取り外し可能に固定される、
請求項１に記載の消費者製品と共に使用するためのポケットサイズ容器。
【請求項１２】
前記周縁バンドの上縁において内部空間の周辺にシールされた第１の薄膜と、
前記容器の周辺付近において前記容器の閉鎖時に前記カバーの下向き壁と前記突出ブルワークの上縁との間に形成された分割ラインを覆う第２の薄膜と、
の少なくとも１つを更に備え、
前記第１及び第２の薄膜が、通気性又は非通気性の天然又は合成材料、フォイル、プラスチック、ポリプロピレン、ポリオレフィン、これらの複合体、感圧体、収縮嵌合体、及びこれらの組み合わせのうちの１つを含む、
請求項１に記載の消費者製品と共に使用するためのポケットサイズ容器。
【発明の詳細な説明】
【発明の概要】
【課題を解決するための手段】
【０００１】
１つの実施形態によれば、容器の第１の側壁部分を形成する突出ブルワークを有する周縁バンドを含む、消費者製品と共に使用するためのポケットサイズ容器が提供される。周縁バンドは、カバーを受け入れるための突出ブルワークから上方にある上側リム部分と、ベースを受け入れるための突出ブルワークの下方にある下側リム部分とを有する。周縁バンドの下側リム部分を囲む上向き壁を有するパン形剛体ベースは、周縁バンドの突出ブルワークの下方で且つ該突出ブルワークと同一平面上に容器の第２の側壁部分を形成する。周縁バンドの上側リム部分を囲む下向き壁を有するパン形剛体ベースは、容器の閉鎖時に周縁バンドの突出ブルワークの上方で且つ該突出ブルワークと同一平面上に容器の第３の側壁部分を形成する。周縁バンドは、該周縁バンドからベースの解除を防止するロック機構を含む。
【０００２】
１つの実施形態において、周縁バンドは、ベースに嵌合したトレイの側壁を含む。周縁バンドは、ベースの底部と整列した一体型トレイに組み込むことができる。１つの実施形態では、トレイは、タバコポーチ製品を収容し、周縁バンドの上縁が薄膜で気密シールされる。
【０００３】
１つの実施形態において、ベースは、丸形コーナ又は急コーナにおいてベースのドーム型底部を平滑な半径と接合する２つの直線側壁及び２つの湾曲端部壁を含み、側壁部分は実質的に垂直であり、カバーは、丸形コーナ又は急コーナにおいてカバーのドーム型頂部を平滑な半径と接合する２つの直線側壁及び２つの湾曲端部壁を含む。１つの実施形態では、周縁バンドの下側リムは、２つの直線壁と２つの湾曲端部壁とを含み、直線壁及び端部壁上には離間して配置された突出部を備え、ロック機構は、ベースの直線壁及び湾曲壁を係合する離間して配置された突起部を含み、ベース及びカバーはサイズ及び形状が同一である。
【０００４】
別の実施形態では、ベースが矩形中心セクション及び丸形端部セクションを含み、該丸形端部セクションは中心セクションよりも幅が広く、側壁部分が実質的に垂直であり、カバーが矩形中心セクション及び丸形端部セクションを含み、該丸形端部セクションが中心セクションよりも幅が広く、カバーがドーム型頂部又は平坦な頂部を含み、ベースがドーム型底部又は平坦底部を含む。
【０００５】
容器は更に、ベースの外表面、周縁バンドの外表面、カバーの外表面、又はこれら組み合わせのうちの少なくとも１つにラベルと、ベース及びカバーの外表面及び内表面のうちの少なくとも１つに耐傷性テクスチャコーティングとを含むことができる。
【０００６】
別の実施形態によれば、無煙タバコ製品を包装する方法が提供され、該方法は、上向き壁に接合された底部を有するパン形状ベースを機械スタンプ加工し、上向き壁上の上縁を内向きに機械カーリング加工して内向きカール縁部を形成する段階と、カバーを受け入れるための上側リム部分と、ベース上向き壁の内部を密着して整列させる下側リム部分と、上側及び下側リム部分の間に突出ブルワークとを含み、上向き壁上のカール上縁を係合し永久的にロックするために下側リム部分の外側の周縁付近に複数の突起部を有するプラスチック周縁バンドを射出成形する段階と、内向きカール縁部が突起部を覆って延びて突起部とブルワークとの間のギャップにスナップ嵌合するまで周縁バンド下側リム部分をベースに押し込む段階と、周縁バンド内の空間に無煙タバコ製品を少なくとも部分的に充填する段階と、周縁バンドの上側リム部分を下向き壁を有するカバーで覆い、下向き壁の対向する端部と周縁バンドの突出ブルワークとの間の分割ラインと上側リム部分周辺で密接に嵌合させるようにする段階と、分割ラインを切り取りストリップでシールして、ポケットサイズ容器を形成する段階と、を含む。射出成形中にトレイ底部を周縁バンド上に形成することができ、該トレイ底部は、ベース底部の内部を整列させるように構成される。
【０００７】
別の実施形態によれば、無煙タバコ製品を包装する方法が提供され、該方法は、上向き壁に接合された底部を有するパン形状ベースを機械スタンプ加工し、上向き壁上の上縁を内向きに機械カーリング加工して内向きカール縁部を形成する段階と、カバーを受け入れるための上側リム部分及びベース上向き壁の内部を密着して整列させるための下側リム部分を有する周縁バンドと、ベース底部の内部を整列させるためのトレイ底部と、上側及び下側リム部分の間に突出ブルワークとを含み、上向き壁上のカール上縁を係合し永久にロックするために下側リム部分の外側の周縁付近に複数の突起部を有する一体型プラスチックトレイを射出成形する段階と、トレイに無煙タバコ製品を少なくとも部分的に充填する段階と、上側リムの上縁において内部空間の周辺にシールされた薄膜でトレイを覆う段階と、内向きカール縁部が突起部を覆って延びて突起部とブルワークとの間のギャップにスナップ嵌合するまで周縁バンド下側リム部分をベースに押し込む段階と、周縁バンドの上側リム部分を下向き壁を有するカバーで覆い、下向き壁の対向する端部と周縁バンドの突出ブルワークとの間の分割ラインと上側リム部分周辺で密接に嵌合させるようにする段階と、分割ラインを切り取りストリップでシールして、ポケットサイズ容器を形成する段階とを含む。
【図面の簡単な説明】
【０００８】
【図１Ａ】ドーム型頂部を有するカバーと、ドーム型底部を有するベースと、ベースと一体化されず且つベースに接続され且つ容器の閉鎖時にベースの垂直壁及びカバーの垂直壁と同一平面上にある容器側壁を形成する突出ブルワークを有する連続周縁バンドとを備えた、丸形コーナ形状を有する容器の１つの実施形態を示す図である。
【図１Ｂ】ドーム型頂部を有するカバーと、ドーム型底部を有するベースと、ベースと一体化されず且つベースに接続され且つ容器の閉鎖時にベースの垂直壁及びカバーの垂直壁と同一平面上にある容器側壁を形成する突出ブルワークを有する連続周縁バンドとを備えた、丸形コーナ形状を有する容器の１つの実施形態を示す図である。
【図１Ｃ】ドーム型頂部を有するカバーと、ドーム型底部を有するベースと、ベースと一体化されず且つベースに接続され且つ容器の閉鎖時にベースの垂直壁及びカバーの垂直壁と同一平面上にある容器側壁を形成する突出ブルワークを有する連続周縁バンドとを備えた、丸形コーナ形状を有する容器の１つの実施形態を示す図である。
【図１Ｄ】ドーム型頂部を有するカバーと、ドーム型底部を有するベースと、ベースと一体化されず且つベースに接続され且つ容器の閉鎖時にベースの垂直壁及びカバーの垂直壁と同一平面上にある容器側壁を形成する突出ブルワークを有する連続周縁バンドとを備えた、丸形コーナ形状を有する容器の１つの実施形態を示す図である。
【図２】レーストラックに似た丸形コーナ形状を有する容器の別の実施形態を示す図である。
【図３Ａ】ドーム型底部と、ベースと一体化されずにベース内に取り込まれた連続周縁バンドを有し、該周縁バンドがベース垂直壁と同一平面上にある容器側壁を形成する突出ブルワークと第１の薄膜及びカバー垂直壁を受け入れて容器を閉鎖する上側リム部分とを有する、丸形コーナ容器のベースの別の実施形態の長側面の側面図である。
【図３Ｂ】ドーム型底部と、ベースと一体化されずにベース内に取り込まれた連続周縁バンドを有し、該周縁バンドがベース垂直壁と同一平面上にある容器側壁を形成する突出ブルワークと容器を閉鎖するため第１の薄膜及びカバー垂直壁を受け入れる上側リム部分とを有する、丸形コーナ容器のベースの別の実施形態の短側面の側面図である。
【図４Ａ】周縁バンドを覆って嵌合して容器を閉鎖するドーム型頂部及び垂直壁を有する丸形コーナ容器のカバーの別の実施形態の長側面の側面図である。
【図４Ｂ】周縁バンドを覆って嵌合して容器を閉鎖するドーム型頂部及び垂直壁を有する丸形コーナ容器のカバーの別の実施形態の短側面の側面図である。
【図５Ａ】周縁バンドを覆って嵌合して容器を閉鎖するドーム型頂部及び垂直壁を有する丸形コーナ容器のカバーの別の実施形態の長側面の側面図である。
【図５Ｂ】周縁バンドを覆って嵌合して容器を閉鎖するドーム型頂部及び垂直壁を有する丸形コーナ容器のカバーの別の実施形態の短側面の側面図である。
【図６Ａ】周縁バンドを覆って嵌合して容器を閉鎖する平坦な頂部及び垂直壁を有する丸形コーナ容器のカバーの別の実施形態の長側面の側面図である。
【図６Ｂ】周縁バンドを覆って嵌合して容器を閉鎖する平坦な頂部及び垂直壁を有する丸形コーナ容器のカバーの別の実施形態の短側面の側面図である。
【図７Ａ】容器が、平坦頂部を有するカバーと、平坦底部を有するベースと、ベースと一体化されずにベースに接続された連続周縁バンドとを有し、該周縁バンドが、容器の閉鎖時にベースの垂直壁及びカバーの垂直壁と同一平面上にある容器の側壁を形成する突出ブルワークを有する、別の実施形態による閉鎖容器を通る断面図である。
【図７Ｂ】ベースと一体でない周縁バンドが、ベースの底部と上側リム部分の上縁にシールされた第１の薄膜とを整列させるトレイ底部を有する、別の実施形態による閉鎖容器を通る断面図である。
【図８】周縁バンドの１つの実施形態の長側面の側面図である。
【図９Ａ】長側面に窪みを備えた丸形コーナ形状を有し、ドーム型頂部を有するカバーと、ドーム型底部を有するベースと、ベースと一体化されず且つベースに接続され、カバーの垂直壁及びベースの垂直壁と同一平面上にある容器側壁を形成する突出ブルワークを有する連続周縁バンドと、を有する容器の別の実施形態を示す。
【図９Ｂ】長側面に窪みを備えた丸形コーナ形状を有し、ドーム型頂部を有するカバーと、ドーム型底部を有するベースと、ベースと一体化されず且つベースに接続され、カバーの垂直壁及びベースの垂直壁と同一平面上にある容器側壁を形成する突出ブルワークを有する連続周縁バンドと、を有する容器の別の実施形態を示す。
【図９Ｃ】長側面に窪みを備えた丸形コーナ形状を有し、ドーム型頂部を有するカバーと、ドーム型底部を有するベースと、ベースと一体化されず且つベースに接続され、カバーの垂直壁及びベースの垂直壁と同一平面上にある容器側壁を形成する突出ブルワークを有する連続周縁バンドと、を有する容器の別の実施形態を示す。
【図９Ｄ】長側面に窪みを備えた丸形コーナ形状を有し、ドーム型頂部を有するカバーと、ドーム型底部を有するベースと、ベースと一体化されず且つベースに接続され、カバーの垂直壁及びベースの垂直壁と同一平面上にある容器側壁を形成する突出ブルワークを有する連続周縁バンドと、を有する容器の別の実施形態を示す。
【図１０】容器の１つの実施形態の周辺付近にある穿孔ラベルの実施形態を示す。
【発明を実施するための形態】
【０００９】
本明細書に記載したように、ポケットサイズ容器の１つの実施形態は、容器の中心側壁部分を形成する周縁バンド（すなわちカラー）と、容器の下側側壁部分及び底部を形成する上向きの垂直壁を備えたパン形ベースと、容器を閉鎖して該容器の上側側壁部分及び蓋を形成する下向きの垂直壁を備えたパン形カバーとを有する。好ましくは、中心側壁部分、下側側壁部分、及び容器が閉鎖されたときの上側側壁部分は、容器に外接する平滑な平面を形成する。容器の別の実施形態では、周縁バンドは、ベースの底部を整列させるようにトレイと一体的に形成することができる。
【００１０】
好ましくは、周縁バンドは、突出ブルワークから上方に突き出た上側垂直リム部分を有し、カバーの垂直壁の内表面を受け入れて容器を摩擦閉鎖する。突出垂直ブルワークは、容器の中心側壁部分を形成する。好ましくは、周縁バンドは、突出垂直ブルワークから下方に別のリム部分すなわち下側垂直リム部分を有し、ベースの垂直壁内部に沿ってベースに接続する。本明細書で使用されるように、垂直壁又はリム部分は実質的に垂直の向きを指すが、幾つかの実施形態では、これに限定されず、例えば、垂直壁及び垂直リム部分の一方又は両方が、平滑な連続湾曲部の１つ又はそれ以上であり、或いは垂直方向に対してある角度にすることができる。
【００１１】
好ましくは、周縁バンドは、容器に外接するシームレスの外表面を提供する。周縁バンドは、カバー及びベースが周縁バンドだけによって支持されるように、ベースとの確実な機械的接続と、カバーとの解除可能なスナップ嵌合又は摩擦嵌合を提供する。容器は好ましくは、周縁バンド内の空間により定められる内部容積内に消費アイテムを収容する。
【００１２】
周縁バンドは、カバーが取り除かれたときに容器が高い捩り安定性を有するように高強度の直立剛性壁を提供する。好ましい実施形態では、周縁バンドは、気密性シールのためにその上端部にてシール可能な開口を提供する。好ましくは、周縁バンドは、容器の滑らかな開閉のための面を提供する。周縁バンドがプラスチックで１つの実施形態において、金属と金属が接触するガタガタ音又はきしみ音を避けることができる。
【００１３】
好ましくは、中心側壁部分、下側側壁部分、上側側壁部分、及びこれらの組み合わせのうちの少なくとも１つは、ラベル用の平面円周方向パネルを提供する。ラベルは、特に限定するわけではないが、オンサート、ステッカー、印刷接着フィルム、印刷収縮嵌合フィルム、エンボス、パネル上への直接塗装又は印刷、或いはこれらの組み合わせとすることができる。
【００１４】
図１Ａ〜１Ｄは、ポケットサイズ容器の好ましい実施形態を示す。図１Ａは、周縁バンド１２０が剛性ベース１４０に取り付けられ且つ剛性カバー１０２によって蓋をした場合の部分等角図である。図１Ｂを参照すると、この実施形態では、容器１００は、平行の長側部１０４（すなわち直線壁）と湾曲した短い端部１０６（すなわち端部壁）とを備えた丸形コーナ形状を有する。端部１０６の曲率半径は、容器の幅が長側部１０４の間の距離である場合に容器の幅の半分と、容器の幅の９０％との間であるのが好ましい。より好ましくは、曲率半径は幅の５０％と６０％の間である。容器１００の長さは、１つの湾曲端部の中心と他方の湾曲端部の中心との間の距離である。好ましくは、容器の幅は、容器の長さの５０％から８０％である。より好ましくは、容器の幅は、長さの６０％と６５％との間である。
【００１５】
図１Ａ〜１Ｄに示すように、好ましくは、容器カバー１０２は、蓋を取り外すために親指又は指の把持ポイントとして作用する隆起部１１０を有する。好ましくは、容器カバー１０２は、カム作用によって取り外すことができる。任意選択的に、容器カバー１０２は、周縁バンド１２０にヒンジ固定（図示せず）することができる。容器カバー１０２の下向きの壁１１４の各長側部１０４の頂部に１つの隆起部１１０が中心に配置されて示されているが、隆起部１１０の位置及び隆起部の数は特に限定されない。図１Ｃに示した容器１００の端面図は、容器１００の第１の中心側壁部分１２４を形成する周縁バンド１２０を例示している。ベース１４０は、丸形コーナ１４６によって上向き壁１４４に接合されたドーム形底部１４２を有する。上向き壁１４４は、好ましくは、第１の側壁部分１２４と同一平面上にあり、容器の第２の（下側）側壁部分を形成する。カバー１０２の頂部１１２は、この実施形態によるドーム形であり、丸形コーナ１１６によって下向き壁１１４に接合される。下向き壁１１４は、容器側壁の第３の（上側）部分を形成し、好ましくは、第１の部分１２４と同一平面上にある。
【００１６】
図１Ｄに示した閉鎖容器１００の側面図は、同一平面側壁１８０と分割ライン１８２とを図示しており、ここで下向き壁１１４の下側端部は、容器１００が開いているときには周縁バンド１２０の上側シェルフから分離している。１つの実施形態において、カバー１０２及びベース１４０は１つの材料からなることができ、周縁バンド１２０は、第２の材料からなることができる。好ましい実施形態では、カバー１０２及びベース１４０は金属であり、周縁バンド１２０はプラスチックである。好ましくは、周縁バンド１２０は、透過性プラスチック（透明、又は黄色、緑色、青色、赤色、その他などの種々のシースルー色）であり、容器１００の中身が見える窓を提供する。
【００１７】
図２は、離間して配置された平行な長側部３０４と離間して配置された湾曲端部３０６とを有する丸形コーナ容器３００の別の実施形態を示す。図３Ａ及び３Ｂは、ドーム型底部３４２及び上向き壁３４４を有するベース３４０を有し、カバーが取り外された状態の容器３００の別の実施形態の側面図及び端面図を示す。上向き壁３４４は、ベース３４０に周縁バンド３２０を取り付ける。好ましくは、上向き壁３４４の上縁は、周縁バンド３２０の下側リム部分に接続される（図７Ａ参照）。
【００１８】
好ましい実施形態では、周縁バンド３２０は、ベース３４０に機械的に固定される。好ましくは、周縁バンド３２０は、以下で図７Ａを参照して説明されるベース上の機械カールによってベース３４０に固定される。また、好ましくは、周縁バンド３２０をベース３４０に固定するのを助けるために固着剤又は接着剤は使用されないが、必要に応じてこのような固着剤を使用してもよい。好ましくは、周縁バンド３２０は、該周縁バンド３２０の底部が周辺においてベース３４０の底部３４２の内表面に堅固に接触し、又は隣接するように固定され、周縁バンド３２０によって密閉される空間を最大にして消費者製品の保管のために利用する。トレイが周縁バンド３２０と一体的に形成された実施形態では、好ましくは、トレイの底部は、ベース３４０の底部３４２の内表面と接触するか又は隣接する。
【００１９】
容器３００の実施形態では、周縁バンド３２０は、一体型トレイの有無にかかわらず、容器ベース３４０に成形される下側リム部分と所定位置に成形することができる。好ましくは、周縁バンド３２０は、周縁バンド３２０によって密閉される空間を最大にして消費者製品保管に利用するために、ベース３４０の底部３４２の内表面周辺に周縁バンド３２０の底部が堅固に接触するように所定位置に成形される。
【００２０】
周縁バンド３２０は、上向き壁３４４と同一平面の容器側壁を形成する突出ブルワーク３２４を有する。突出ブルワークから上方では、上側リム部分３２２が周縁バンド３２０の上側シェルフ３３２から延びる。上側リム部分３２２の上縁３２６は、上述のようにカバーの下向き壁内に嵌合し、更に上縁３２６は、フォイル又は薄膜を受け入れて気密性シール（図７Ｂ参照）を形成するためにることができ、後で容器カバーによって覆うことができる。図３Ａ及び３Ｂに示した実施形態によれば、上側リム部分３２２は、周縁バンドにカバーを解除可能に取り付けるために小突起部３３０を有することができ、これにより容器３００の意図しな開放が阻止される。
【００２１】
図４Ａ及び４Ｂは、丸形コーナ３１６により下向き側壁３１４に接続されるドーム型頂部３１２を有し、容器３００から取り外された容器カバー３０２の別の実施形態の側面図及び端面図を示す。下向き壁３１４は、上述のように、周縁バンドの上側リム部分を囲み、容器３００を閉鎖する。好ましくは、下向き壁３１８の下縁は、周縁バンドの上側リム部分によって解除可能に取り付けられ、容器３００を閉鎖する（図７Ａ参照）。上側リム部分は、上側リム部分と下向き壁３１４との間の摩擦締まり嵌め、内向きロール縁部を有する下縁３１８が通過する上側リム部分上のスナップリング、上側リム部分及び下向き壁３１４の１つ又は両方の突起部などの構造体によって下縁を係合することができる。
【００２２】
図５Ａ及び５Ｂは、丸形コーナ４１６により下向き側壁４１４に接続されるドーム型頂部４１２を有する、容器３００から取り外された容器カバー４０２の別の実施形態の側面図及び端面図を示す。下向き壁４１４は、図４Ａ及び４Ｂに示した前の実施形態よりも更に下縁４１８まで延びる。丸形コーナ５１６により下向き側壁５１４に接続される平坦な頂部５１２を有する、容器３００から取り外された容器カバー５０２の別の実施形態の側面図及び端面図が、図６Ａ及び６Ｂに示される。この実施形態では、平坦な頂部５１２は、実質的に下縁５１８に平行である。カバー５０２の下縁５１８と平坦な頂部５１２との間には、容器３００内の消費者製品の梱包時並びにユーザによる容器３００の開閉時の蓋動作を容易にするために下向き壁５１４上に隆起部５１０が示されている。カバー３０２、４０２、及び５０２の実施形態は、好ましくは機械的延伸又はスタンプ加工されたシート金属である。
【００２３】
図７Ａ及び７Ｂを参照し、周縁バンド６２０の１つの実施形態の詳細を説明する。図７Ａでは、ベース６４０をカバー６０２に接続した周縁バンド６２０の断面が示される。ベース６４０は、丸形コーナ６４６において上向き壁６４４に接続される底部６４２を有する。上向き壁６４４の上縁は、内向きカール縁部６４８（例えば、側壁のロールアップ部分）を有し、該端部は、周縁バンド６２０の下側リム部分６５０上のロック突起部６５６と、周縁バンドの下側シェルフ６５２との間で機械的にクランプされ、周縁バンド６２０に取り付けられたときにベース６４２が解除されるのを防止する。ロック突起部６５６の平坦面は、内向きカール縁部６４８を下側シェルフ６５２にクランプする間に周縁バンド６２０からベース６４０が手動で取り外されるのを防止する。好ましくは、上向き壁６４４は、下側リム部分６５０の周りに堅固に嵌合し、下側リム部分６５０の下側端部６５４は、底部６４２ａの内表面を係合する。ロック突起部６５６は、カール縁部６４８を係合する平坦面を有するように図示され記載されたが、ロック突起部６５６は、このように限定されず、周縁バンドからベースが解除されるのを防止するために、凹形の湾曲面又は下側リム部分６５０の外表面から離れる方向に上向きに傾斜した面を有することができる。
【００２４】
図示の実施形態では、上向き壁６４４は、下側リム部分６５０内に曲げられて、周縁バンド６２０にベース６４０をロックし、壁６４４のバネ動作がベース６４０を下側リム部分６５０に付勢して、薄膜シール及びラベルの１つ又は両方を支持するための平坦な円周方向外側容器側壁を提供する。任意選択的に、周縁バンド６２０及び一体トレイ６２１を備えた周縁バンドは、ベース６４０の所定位置に成形することができる。
【００２５】
下側シェルフ６５２は、下側リム部分６５０を周縁バンド６２０の突出ブルワーク６２４に接続する。内向きカール縁部６４８は、下側シェルフ６５２にクランプされ、上向き壁６４４及び突出ブルワーク６２４が容器６００の同一平面の側壁を形成するようにする。上述のように容器ベース６４０に固定された突出ブルワーク６２４のＣ形ビームは、本実施形態による容器６００に強度及び安定性をもたらす。他の実施形態によれば、突出ブルワーク６２４は、Ｉ形ビーム、Ｈ形ビーム、Ｘ形ビーム、箱形ビーム、又は他の断面形状とすることができる。１つの実施形態において、周縁バンドは、内部凹部のない平滑な内壁を有する。
【００２６】
図７Ａに示すように、カバー６０２は、丸形コーナ６１６によって下向き壁６１４に接続された頂部６１２を有する。下向き壁６１４の下縁は、周縁バンド６２０の上側リム部分６２２及び周縁バンドの上側シェルフ６３２上の１つ又はそれ以上の小突起部６３０の間に解除可能に係合された内向きカール縁部６１８（例えば、側壁のロールアップ部分）を有する。小突起部６３０は、カール縁部６１８を係合する湾曲面として図示されているが、該小突起部６３０は、特にこれに限定されず、様々なサイズ及び形状とすることができる。１つ又はそれ以上の小突起部６３０は、カバー６０２が周縁バンド６２０から意図せずに取り外されるのを防止すると共に、図３Ａ及び３Ｂを参照して上記で記載したように、ユーザにより隆起部６１０に意図的な指圧力が加えられたときには、容器６００からカバー６０２を取り外すことができるようにする。カバー６０２が周縁バンド６２０の上側リム部分６２２を覆って閉鎖されると、１つ又はそれ以上の小突起部６３０が内向きカール縁部６１８を上側シェルフ６３２に係合する。好ましくは、下向き壁６１４は上側リム部分６２２の周りに堅固に嵌合し、上側リム部分６２２の上縁６２６は、頂部１２ａの内表面を係合する。
【００２７】
ある実施形態によれば、複数の小突起部６３０は、上側リム部分６２２に外接し、容器カバー６０２の下側内向きカール縁部６１８を解除可能に取り付けることができる。別の実施形態では、複数の小突起部６３０は、上側リム部分６２２の湾曲端部３０６（図２）にだけ配置することができ、又は、複数の小突起部６３０は、上側リム部分６２２の長側部３０４（図２）に沿ってだけ配置することができる。更に別の実施形態では、スナップリング（図示せず）のような単一のリングは、上側リム部分６２２の外表面に外接し、容器カバー６０２の下側内向きカール縁部６１８を解除可能に取り付けることができる。好ましくは、上側リム部分６２２の各長側部３０４（図３Ａ参照）上の２つの小突起部６３０は、固定カバー６０２にクロージャを提供する。任意選択的に、容器カバーは、一方の長側部３０４上で周縁バンド６２０にヒンジ固定することができ、上側リム部分６２２の他方の長側部３０４上の小突起部６３０は、固定カバー６０２にクロージャを提供する。
【００２８】
図７Ｂは、容器ベース６４０の底部６４２と整列したトレイ部分６５５を有する周縁バンド６２１の別の実施形態の断面を示す。好ましい実施形態では、周縁バンド６２０、６２１は、透過性プラスチックから作られ、消費者がその窓を通して容器の内容を観測する窓として機能する。また、好ましい実施形態では、第１の薄膜６５７が周縁バンド６２１の上縁６２６を気密シールし、これにより周縁バンド６２１によって定められる内部空間６５９内の消費者製品を気密シールする。第１の薄膜６５７は、特にこれに限定されず、フォイル、プラスチック、これらの組合せ物、或いはこれらの複合材料とすることができる。第１の薄膜６５７は、通気性又は非通気性とすることができる。好ましくは、第１の薄膜６５７は、該第１の薄膜６５７をユーザが取り外すためのプルタブ（図示せず）を有する。プルタブは、上側リム部分の一部分沿って押し下げる第１の薄膜６５７の親指サイズの重なり部分とすることができる。
【００２９】
通気性薄膜は、該薄膜を通って１つ又はそれ以上のガス、蒸気、及び水を透過させることができる。通気性薄膜は、例えば、織布材料又は穿孔を有する薄膜など、多孔質の天然及び合成材料を含む。非通気性材料は、気密シールを提供し、ガス、蒸気、又は水が薄膜を通過することができない。
【００３０】
図８は、図７Ａに示す周縁バンド６２０の実施形態の側面図である。複数のロック突起部６５６が下側リム部分６５０上に示されている。好ましい実施形態によれば、ロック突起部６５６は、下側リム部分６５０に外接し、周縁バンド６２０の下側シェルフ６５２にクランプされた容器ベース６４０の上側内向きカール縁部６４８を係合することができる。別の実施形態では、ロック突起部６５６は、下側リム部分６５０の湾曲端部にだけ配置することができ、或いは、下側リム部分６５０の長側部に沿ってだけ配置することができる。更に別の実施形態では、ロック突起部単一リング（図示せず）は、下側リム部分６５０の外表面に外接し、周縁バンド６２０の下側シェルフ６５２にクランプされた容器ベース６４０の上側内向きカール縁部６４８を係合することができる。直線側壁３０４及び湾曲端部壁３０６を有する丸形矩形容器（図２）の１つの実施形態において、周縁バンド６２０の下側リム部分６５０は、好ましくは、各直線壁３０４に沿って４つのロック突出部６５６と、各湾曲壁３０６に沿った６つのロック突出部６５６とを有し、上側リム部分６２２は、好ましくは、各直線壁３０４に沿った２つの小突出部６３０を有し、各湾曲壁３０６に沿った小突出部６３０は有していない。
【００３１】
１つの実施形態において、ポケットサイズ容器カバー６０２及びベース６４０の厚さは、約０．１ｍｍから約０．４ｍｍ（例えば、約０．２〜０．３ｍｍ、又は０．２２〜０．２８ｍｍ）の範囲であり、ベース及びカバーの内向きカール縁部６４８、６１８は、約０．３ｍｍから約２．５ｍｍ（例えば、０．４〜２ｍｍ、０．５〜１．５ｍｍ、０．６〜０．８ｍｍ）の範囲のそれぞれの厚さを有する。１つの実施形態において、周縁バンド６２０の突出ブルワーク６２４は、内向きカール縁部６４８、６１８のそれぞれの厚さだけ周縁バンド６２０の上側及び下側リム部分６２２、６５０を超えて突出し、上述したように（例えば、図１Ａ〜１Ｄを参照して）、カバー６０２、ベース６４０、及び周縁バンド６２０が同一平面の容器側壁を形成するようにする。１つの実施形態において、ポケットサイズ容器周縁バンド６２０の厚さは、約０．５ｍｍから約２．５ｍｍ（例えば、１〜２ｍｍ又は１．２〜１．８ｍｍ）の範囲である。同様に、ポケットサイズ容器周縁バンド６２１が一体型トレイ部分６５５を有する１つの実施形態の場合、ポケットサイズ容器周縁バンド６２１及びトレイ部分６５５の厚さは、約０．５ｍｍから約２．５ｍｍの範囲（例えば、１〜２ｍｍ又は１．２〜１．８ｍｍ）である。突出ブルワーク６２４、上側リム部分６２２、下側リム部分６５０、及びトレイ部分６５５の厚さは、必ずしも同じである必要はなく、単一の周縁バンド６２０、６２１の実施形態の範囲内で全て変えることができ、或いは全て同じにすることができる。例えば、ポケットサイズ容器は、０．７〜０．８ｍｍ（例えば、約０．７５ｍｍ）厚さのカール縁部６１８を有する、約０．２２〜０．２４ｍｍ（例えば、約０．２３ｍｍ）厚さのスタンプ加工シート金属のカバー６０２と、０．７〜０．８ｍｍ（例えば、約０．７５ｍｍ）厚さのカール縁部６４８を有する約０．２２〜０．２４ｍｍ（例えば、約０．２３ｍｍ）厚さのスタンプ加工シート金属のベース６４０と、約１．３〜１．６ｍｍ（例えば、約１．５ｍｍ）厚さのプラスチックの周縁バンド６２０、６２１とを有することができる。
【００３２】
図９Ａから９Ｄは、容器７００の別の好ましい実施形態を示す。図９Ａを参照すると、この実施形態では、容器７００は、離間して配置され且つ狭い中間セクション７０９（例えば矩形中心セクション）によって分離された第１及び第２の広い端部セクション７１１、７１３（例えば丸形端部セクション）を有する。広い端部セクション７１１、７１３は、平行な側面７０４と湾曲端部７０６とを有する。端部７０６の曲率半径は、容器幅が長側部７０４の間の距離である場合、容器の幅の半分と、容器の幅の９０％との間であるのが好ましい。より好ましくは、曲率半径は、幅の５０％と６０％の間である。容器７００の長さは、一方の湾曲端部の中心と他方の湾曲端部の中心と間の距離である。好ましくは、容器の幅は、容器の長さの５０％から８０％である。より好ましくは、容器の幅は、長さの６０％と６５％との間である。
【００３３】
この実施形態によれば、狭い中間セクション７０９は、狭い中間セクション７０９を広い端部セクション７１１、７１３に接続するための平行窪み側部７０８及びフレア付きセクション７６８を有する。丸形コーナ容器７００のこのような形状はウエスト形状と呼ばれる。
【００３４】
図９Ａ〜９Ｄに示すように、好ましくは、ウエスト形容器カバー７０２は、蓋を取り外すための親指又は指の把持ポイントとして機能する隆起部７１０を有する。１つの隆起部７１０は、容器カバー７０２の下向き壁７１４の各窪み側部７０８上に示されているが、隆起部７１０の位置及び隆起部の数は特に限定されない。図９Ｂに示した容器７００の端面図は、容器７００の第１の側面部分７２４を形成する周縁バンド７２０を例示している。ベース７４０は、丸形コーナ７４６により上向き壁７４４に接合されたドーム形底部７４２を有する。上向き壁７４４は、好ましくは、第１の側壁部分７２４と同一平面上にあり容器の第２の側壁部分を形成する。カバー７０２の頂部７１２は、この実施形態によるドーム形状であり、丸形コーナ７１６によって下向き壁７１４に接合される。下向き壁７１４は、容器側壁の第３の部分を形成し、好ましくは第１の部分７２４と同一平面上にある。
【００３５】
図９Ｃは、カバー７０２が取り外されたウエスト容器７００の側面図を示す。狭い中間セクション７０９を広い端部セクション７１１、７１３に接続するための平行窪み側部７０８及びフレア付きセクション７６８は、周縁バンド７２０及びベース７４０において容器７００が同一平面の垂直側壁を有するように見える。周縁バンド７２０及びベース底部７４２は、実質的に頂部７１２に適合するようなウエスト形状を有する。
【００３６】
図９Ｄに示した閉鎖容器７００の側面図は、容器７００が開いているときに下向き壁７１４の下側端部が周縁バンド７２０の上側シェルフから分離した場合の同一平面の容器側壁７８０及び分割ライン７８２を示している。上記の実施形態では、カバー７０２及びベース７４０は１つの材料からなるものとすることができ、周縁バンド７２０は、第２の材料からなることができる。好ましい実施形態では、カバー７０２及びベース７４０は、スタンプ加工シート金属であり、周縁バンド７２０は成形プラスチックからなる。好ましくは、周縁バンド７２０は、透過性プラスチック（透明又は黄色、緑色、青色、赤色など種々のシースルー色）であり、容器７００の中身が見える窓を提供する。好ましくは、容器側壁７８０は、容器に外接してラベル用パネル（例えば、印刷接着フィルム、印刷収縮嵌合フィルム、容器側壁７８０上へのに直接印刷、エンボス、その他）を提供する平滑な垂直面である。
【００３７】
好ましい実施形態では、容器カバー及び容器ベースの１つ又は両方の外側は、予め印刷されてポリマーコーティングなどの耐傷性保護テクスチャ材料で処理されることになる。１つの実施形態では、容器は、ベースの内表面及びカバーの内表面の少なくとも１つの上に耐食性コーティングを更に含む。好ましくは、容器カバー及びベースの内部は、腐食防止用のエポキシコーティングなどの耐食コーティングで処理されることになる。好ましくはないが、カバー及びベースの１つ又は両方は、頂部及び底部凹状パネルを有することができる。このような凹状パネルは、ラベル（例えば、エンボス、接着又は収縮嵌合ラベル、インクジェット印刷、オンサート、及び他の同様の適用）を可能にするために設けられる。
【００３８】
好ましい実施形態では、周縁バンドの頂部にはテーパが付けられ、上側リム部分の頂部周りの内向きカール縁部にカバーを容易に位置決め又は位置合わせできるようになり、カバー及びベースが互いに向かって圧迫されたときに容器の滑り閉鎖を行う。周縁バンドは好ましくは、消費アイテムのために周縁バンド内部の空間を利用するため、又はシール可能な面を提供するため、或いはこの両方のためにカバーが閉じられたときにベースの底部及びカバーの頂部と接触する。
【００３９】
好ましい実施形態では、カバーが容器を閉鎖するときには、カバーの下向き壁が、頂部から底部までの距離の１５％から４５％の範囲の距離を頂部から下向きに延びて、ベースの上向きの壁が底部から上向きに延び、周縁バンドの突出ブルワークは、カバーが容器を閉鎖するときに、頂部から底部までの距離の１０％から７０％の範囲の距離を延びる。好ましくはまた、下向き壁及び上向き壁の高さは等しい。従って、カバーと周縁バンド上側シェルフとの間の分割ラインは、カバーに対して区切られた容器の高さが、周縁バンド及びベースの突出ブルワークに対して区切られた容器高さの残りの部分よりも著しく低くなるように配置される。このような好ましい分割比は、より薄いカバー（蓋）がベース上に向けられ、カバーが取り外されている間にユーザに直立位置を示すように配分される。しかしながら、分割比は、あらゆる他の望ましい値を有することができる。例えば、容器は、カバー高さに対して区切られた容器高さの７０％から３０％の範囲、及びこれに対応して突出ブルワーク及びベース高さに対して区切られた３０％から７０％の範囲の分割比を有することができる。１つの実施形態において、分割比はまた、容器に保管される製品の量と整合性のある所望の一定内部容積を得るように選択することができる。例えば、容器は、約２０〜２４ｍｍ高さ（例えば２２ｍｍ高さ）、約４５〜５５ｍｍ幅（例えば５０ｍｍ幅）とすることができ、約７５〜８５ｍｍ長さ（例えば８０ｍｍ長さ）を有する。このような実施形態では、カバー高さは、約５〜１０ｍｍ（例えば７ｍｍ）、突出ブルワーク及びベース高さは、約１２〜１９ｍｍ（例えば１５ｍｍ）とすることができる。
【００４０】
１つの実施形態において、ポケットサイズ容器は、幅が約３０ｍｍから約８０ｍｍ、長さが約６０ｍｍから約１１０ｍｍ、高さが約１５ｍｍから４０ｍｍである。ウエスト形状を有するポケットサイズ容器の１つの実施形態において、狭いセクション（例えば矩形中心セクション）は、広いセクションの幅が約３０ｍｍから約８０ｍｍである場合、広いセクション（例えば丸形端部セクション）よりも約３ｍｍから約２０ｍｍ狭くすることができる。ウエスト形容器は、長さが約６０ｍｍから約１１０ｍｍであり、狭いセクションは、長さが約１５ｍｍから約４５ｍｍであり、フレア付きセクションは、長さを各々約３ｍｍから約１５ｍｍとすることができ、容器は、高さを約１５ｍｍから約４０ｍｍとすることができる。好ましい実施形態では、容器は、成人ユーザの手の平又はポケットに収まる。最も好ましくは、内部容積のサイズは、密閉される製品の量に基づいて決定される。
【００４１】
１つの実施形態において、周縁バンドは、低密度ポリエチレン樹脂などの一体成形の射出成形プラスチックである。好適なプラスチックは、限定ではないが、ポリプロピレン、ポリエチレン、ポリスチレン、ナイロン、ポリスルフォン、ポリエステル、ポリウレタン、及びこれらの組み合わせを含む。一部のプラスチックは香味を吸収するので、密閉した製品が香味を含有する場合には好ましいプラスチックは、ポリプロピレンである。
【００４２】
１つの実施形態では、カバー及びベースは金属スタンプ加工で形成される。好適な金属は、限定ではないが、アルミニウム、アルミニウム合金、鋼、ステンレス鋼合金、チタン、チタン合金、マグネシウム、マグネシウム合金、錫、錫合金、銅、銅合金、真鍮、及びこれらの組み合わせを含む。カバー及びベースは、好ましくは内向きカール縁部の形状、高さ及び幅が同一である。
【００４３】
好ましくは、周縁バンドは、容器カバーに対するシールを提供する。好ましくは、周縁バンドは、容器を開閉するためにカバーの取り外し及びカバーの交換を容易にする。好ましくはまた、周縁バンドの突出ブルワークによって形成された同一平面の容器側壁の表面及びベースの上向き側壁は、ラベル用の平面円周方向パネルを提供する。好ましくはまた、容器が閉鎖されているときに、周縁バンド、ベースの上部側壁、及びカバーの下向き側壁は、ラベル用平面円周方向パネルを提供する。
【００４４】
図１０に示した実施形態では、第２の薄膜シール８７２は容器８００の周辺を囲む。この実施形態では、容器８００は、円形コーナ頂部８１２と適合する形状を有するが、容器８００の形状はこれに限定されず、上記で説明したように他の形状を有することができる。第２の薄膜８７２は、カバーと周縁バンド上側シェルフとの間で分割ラインシーム８８２と重なり合う。好ましくは、第２の薄膜シール８７２は、容器側壁の表面に適用される感圧式透明ラベルである。任意選択的に、不正防止の目的で容器の周辺部周りにラップされたテープは、第２の薄膜シール８７２として使用することができる。好ましくはまた、第２の薄膜シール８７２は、不正開封防止シールとして使用することができる。好ましくはまた、薄膜材料はポリプロピレンとすることができる。第２の薄膜シール８７２は、ポリプロピレンが好ましいが、第２の薄膜シール８７２は、熱収縮性ポリオレフィンフィルムなどの他の好適な材料であってもよい。第２の薄膜シール８７２は、通気性又は非通気性とすることができる。
【００４５】
好ましい実施形態では、第２の薄膜シールは、適切な容器通気機能を可能にするように穿孔される（８７４）。好ましくはまた、第２の薄膜シール８７２は、容器の円周を覆い、容器が閉鎖されているときに、カバー及び周縁バンド上側シェルフの分割ライン８８２にわたってこのような穿孔８７４が中心になるように位置付けられるう。穿孔された第２の薄膜８７２を使用することで、容器８００の開放機能が改善される。使用時には、消費者は、穿孔８７４においてシールを破断した後、容器８００を開放する。別の実施形態では、第２の薄膜シール８７２は、第２の薄膜８７２のシールを破断して容器８００の内容物にアクセスできるように係合されたプルタブ（図示せず）を含む。分割ライン８８２の位置は、穿孔８７４によって示される位置、又はそれよりも高いか又は低い位置とすることができる。同様に、穿孔８７４は、図示の位置或いはそれよりも高く又は低くすることができる。
【００４６】
第２の薄膜シール８７２は好ましくは、穿孔８７４によって分離された複数の水平セクション（図示せず）を有する。例えば、上側セクションは、穿孔の第１の列によって中央セクションから分離され、下側セクションは、穿孔の第２の列によって中央セクションから分離される。好ましくは、上側セクションの内表面がカバー下向き壁に結合され、下側セクションの内表面が周縁バンドの突出ブルワーク及びベース上向き壁に結合され、中央セクションが破断用穿孔によって取り外された後に容器を開放できるようにする。このような実施形態では、中央セクションは、不正開封防止シールの切り取りストリップとして知られている。好ましくは、上側及び下側セクションの内表面は、感圧式接着剤によって容器の側壁部分に結合される。
【００４７】
上側及び下側セクションの内表面は、好ましくは容器側壁部分に結合されるが、上側及び下側セクションはまた、切り取りストリップが切断されたとき又は穿孔８７４が破断されたときに、薄膜シールを任意選択的に完全に取り外すことができるように結合することはできない。例えば、第２の薄膜シール８７２は、側壁を任意選択的に覆う容器の周辺部、側壁並びに頂部及び底部のうちの１つ又は両方の部分、又は容器８００全体に収縮嵌合することができる。このような実施形態では、第２の薄膜８７２は、切り取りストリップ（図示せず）が取り外された後又は穿孔８７４が破断された後に、容器８００から完全に取り外すことができる。
【００４８】
限定ではないが、第２の薄膜シール８７２は、１０〜３０ｍｍ幅とすることができる。好ましくは１５ｍｍ幅である。上側及び下側セクションは各々、２〜７ｍｍ幅とすることができ、中間セクション幅は１〜８ｍｍ幅とすることができる。好ましくは、中間セクションは６ｍｍ幅、上側及び下側セクションは各々３ｍｍ幅である。
【００４９】
１つの実施形態では、第１の薄膜が周縁バンドの上縁から第１の薄膜を取り外すためのプルタブを含み、又は第２の薄膜が、容器を開放するために第２の薄膜を破断するのに使用される不正開封防止プルタブを含む。別の実施形態では、第１の薄膜が周縁バンドの上縁から第１の薄膜を取り外すためのプルタブを含み、更に第２の薄膜が、容器を開放するために第２の薄膜を破断するのに使用される不正開封防止プルタブを含む。
【００５０】
容器６００の組み立ては極めて簡単である。図７Ａ及び７Ｂを参照すると、周縁バンド６２０、６２１の下側リム部分６５０は、ベース６４０の上向き壁６４４内に挿入されて、ベース６４０の上縁６４８が下側リム部分６５０の１つ又はそれ以上のロック突起部６５６の上でスナップ嵌合するまで押し下げられる。カバー６０２は、周縁バンド６２０の上側リム部分６２２に取り付けることができる。任意選択的に、周縁バンド６２０、６２１は、所定位置で成形することができる。
【００５１】
使用時には、消費者は、自分の手の平に容器６００の底面を把持しながら、カバー６０２を周縁バンド６２０から持ち上げて、内部容積６５９内に保管される消費者製品を露出させる。好ましくは、ユーザは、カム運動を加えて、カバー６０２を周縁バンド６２０から分離する。任意選択的に、ユーザは、カム運動を加えてヒンジ固定カバーを開放する。ベース６４０は、ユーザがカバー６０２を取り外すのに十分な力を加えたときに外れることがないように、周縁バンド６２０、６２１にロックされる。好ましくは、ベース６０２は、ユーザが手の圧力だけを用いて周縁バンド６２０、６２１から取り外すことはできない。
【００５２】
容器の特定の寸法及び比率は必須ではない。好ましくは、比率は、包装されることになる特定の物品を収容するための大きさにされた容器を提供するように選定される。従って、実際の容器は、図に示したものよりも細長くすることができ、又は、容器は、図面で示したものよりも正方形に近く、或いはより深くすることができる。しかしながら、好ましくは、容器は、ポケットに好都合に携行され、消費者が手で保持し、開放できるような大きさにされる。
【００５３】
物品は、様々な方法で配置することができる。例えば、製品は、物品を互いに重ね合わせて又は交互にして配置することができる。勿論、製品が十分に小い場合、内部容積内にランダムに置くこともできる。
【００５４】
当然、容器は様々な製品に使用できる。容器が使用可能な１つの特定の製品は、無煙タバコポーチである。このようなタバコは、小包状態で提供され、場合によっては「スヌース」として知られ、タバコ材料の個々の小包を含むことができる。容器が使用可能な別の特定の製品は、湿潤無煙タバコ（ＭＳＴ）である。
【００５５】
容器がスヌースに使用される場合、第１の薄膜６５７は、気密性シールを与えて製品の新鮮さを維持し、第２の薄膜８７２は、穿孔付き又は穿孔なしとすることができる。任意選択的に、容器がスヌースに使用される場合、第１の薄膜６５７は省略することができ、第２の薄膜８７２は、気密性シールを提供するよう非穿孔にすることができる。
【００５６】
容器が湿潤無煙タバコ（ＭＳＴ）に使用される場合、好ましくは、製品は、使用される何らかの薄膜を通して例えば排ガスを通気することができる。第１の薄膜６５７及び第２の薄膜８７２の一方又は両方が湿潤無煙タバコと共に容器内で使用される場合、第１の薄膜及び第２の薄膜は、通気可能な材料を含むのが好ましい。
【００５７】
上記のことから、複数の物品を収容することができ、消費者が携帯し且つ開放可能な安価なポケットサイズの容器が提供されることは理解されるであろう。
【００５８】
上記の説明は、好ましい実施形態に関するものであり、従って、単に物品及び同物品を製造する方法を示している点を理解されたい。当業者であれば、上記の教示に照らして異なる実施形態の変形及び修正形態が容易に明らかになることは理解できる。例えば、周縁バンドはベースの底部を整列させる底部分を有することができ、周縁バンドは中空壁を有してもよく、或いは、容器の形状は、丸形コーナ及びウエストから、平滑な丸形コーナを備えた立方体又は他の多面体などの他の形状に変えることができる。従って、例示的な実施形態並びに代替の実施形態は、添付の請求項に記載された物品及び方法の技術的思想及び範囲から逸脱することなく実施することができる。
【符号の説明】
【００５９】
１００  容器
１０２  容器カバー
１２０  周縁バンド
１４０  ベース
【図１Ａ】
0005449184.tif 000002
【図１Ｂ】
0005449184.tif 000003
【図１Ｃ】
0005449184.tif 000004
【図１Ｄ】
0005449184.tif 000005
【図２】
0005449184.tif 000006
【図３Ａ】
0005449184.tif 000007
【図３Ｂ】
0005449184.tif 000008
【図４Ａ】
0005449184.tif 000009
【図４Ｂ】
0005449184.tif 000010
【図５Ａ】
0005449184.tif 000011
【図５Ｂ】
0005449184.tif 000012
【図６Ａ】
0005449184.tif 000013
【図６Ｂ】
0005449184.tif 000014
【図７Ａ】
0005449184.tif 000015
【図７Ｂ】
0005449184.tif 000016
【図８】
0005449184.tif 000017
【図９Ａ】
0005449184.tif 000018
【図９Ｂ】
0005449184.tif 000019
【図９Ｃ】
0005449184.tif 000020
【図９Ｄ】
0005449184.tif 000021
【図１０】
0005449184.tif 000022